【手続補正書】
【提出日】平成16年4月8日(2004.4.8)
【手続補正１】
【補正対象書類名】明細書
【補正対象項目名】発明の名称
【補正方法】変更
【補正の内容】
【発明の名称】平面型レンズ及びその製造方法、背面投射型プロジェクタ用スクリーン、並びに紫外線硬化性樹脂組成物
【手続補正２】
【補正対象書類名】明細書
【補正対象項目名】特許請求の範囲
【補正方法】変更
【補正の内容】
【特許請求の範囲】
【請求項１】
平面状又は曲面状に分布した複数の透明微小球体と、
前記複数の透明微小球体を保持する透明粘着層と、
前記各透明微小球体の光出射側の所定箇所を露出させるように、前記複数の透明微小球体間の間隙に配された光吸収層と、
を有する平面型レンズであって、
前記透明粘着層が、側鎖に二重結合を持ったアクリル系樹脂と光重合開始剤と熱架橋剤とを少なくとも含有する紫外線硬化性樹脂組成物からなっていて、前記アクリル系樹脂の熱架橋及び紫外線架橋により硬化していること、
を特徴とする、平面型レンズ。
【請求項２】
前記複数の透明微小球体が単層に配置されており、光入射側において、前記各透明微小球体の直径の３０％以上が前記透明粘着層に埋め込まれている、請求項１に記載の平面型レンズ。
【請求項３】
前記紫外線硬化性樹脂組成物が、前記アクリル系樹脂１００重量部に対し、前記光重合開始剤を０．１〜５重量部、前記熱架橋剤を０．１〜５重量部夫々含有したものである、請求項１に記載の平面型レンズ。
【請求項４】
前記アクリル系樹脂が、
アクリル酸エステル及びメタクリル酸エステルからなる群より選ばれた少なくとも１種を主成分とする単量体１００重量部に対し、少なくとも、水酸基を含有した単量体、カルボキシル基を含有した単量体並びに水酸基及びカルボキシル基を含有した単量体からなる群より選ばれた少なくとも１種を０．１〜２０重量部共重合させて得られた樹脂１００重量部に対し、
イソシアネート基を含有したアクリル酸エステル及びイソシアネート基を含有したメタクリル酸エステルからなる群より選ばれた少なくとも１種を０．１〜２０重量部配合し、反応させて得られたものである、請求項１に記載の平面型レンズ。
【請求項５】
前記透明粘着層の光入射側に透明基板が設けられている、請求項２に記載の平面型レンズ。
【請求項６】
前記複数の透明微小球体の光出射側に第２の透明粘着層を介して第２の透明基板が設けられている、請求項５に記載の平面型レンズ。
【請求項７】
透明基板の上に、側鎖に二重結合を持ったアクリル系樹脂、光重合開始剤及び熱架橋剤を少なくとも含有する透明な紫外線硬化性樹脂組成物を形成する工程と、
前記紫外線硬化性樹脂組成物の前記アクリル系樹脂を熱架橋させる工程と、
前記紫外線硬化性樹脂組成物の上に複数の透明微小球体を供給し、所定深さまで前記紫外線硬化性樹脂組成物に埋め込む工程と、
前記紫外線硬化性樹脂組成物に埋め込まれた状態の前記複数の透明微小球体間の間隙に光吸収材料を供給する工程と、
前記各透明微小球体の前記透明基板とは反対側の頂部近傍領域の前記光吸収材料を除去する工程と、
紫外線を照射して前記紫外線硬化性樹脂組成物の前記アクリル系樹脂を紫外線架橋して前記紫外線硬化性樹脂組成物を硬化させる工程と、
を有する、平面型レンズの製造方法。
【請求項８】
前記光吸収材料を供給する工程の前に、前記紫外線硬化性樹脂組成物を硬化させる工程を行う、請求項７に記載の平面型レンズの製造方法。
【請求項９】
前記各透明微小球体の頂部近傍領域の前記光吸収材料を除去する工程の後、その光吸収材料を除去した頂部側の前記複数の透明微小球体の上に、透明粘着層を介して、第２の透明基板を積層する工程を更に有する、請求項７に記載の平面型レンズの製造方法。
【請求項１０】
平面状又は曲面状に分布した複数の透明微小球体と、前記複数の透明微小球体を保持する透明粘着層と、前記各透明微小球体の光出射側の所定箇所を露出させるように、前記複数の透明微小球体間の間隙に配された光吸収層とを有する平面型レンズであって、前記透明粘着層が、側鎖に二重結合を持ったアクリル系樹脂と光重合開始剤と熱架橋剤とを少なくとも含有する紫外線硬化性樹脂組成物からなっていて、前記アクリル系樹脂の熱架橋及び紫外線架橋により硬化している平面型レンズを用いた、背面投射型プロジェクタ用スクリーン。
【請求項１１】
前記複数の透明微小球体が単層に配置されており、光入射側において、前記各透明微小球体の直径の３０％以上が前記透明粘着層に埋め込まれている、請求項１０に記載の背面投射型プロジェクタ用スクリーン。
【請求項１２】
前記紫外線硬化性樹脂組成物が、前記アクリル系樹脂１００重量部に対し、前記光重合開始剤を０．１〜５重量部、前記熱架橋剤を０．１〜５重量部夫々含有したものである、請求項１０に記載の背面投射型プロジェクタ用スクリーン。
【請求項１３】
前記アクリル系樹脂が、
アクリル酸エステル及びメタクリル酸エステルからなる群より選ばれた少なくとも１種を主成分とする単量体１００重量部に対し、少なくとも、水酸基を含有した単量体、カルボキシル基を含有した単量体並びに水酸基及びカルボキシル基を含有した単量体からなる群より選ばれた少なくとも１種を０．１〜２０重量部共重合させて得られた樹脂１００重量部に対し、
イソシアネート基を含有したアクリル酸エステル及びイソシアネート基を含有したメタクリル酸エステルからなる群より選ばれた少なくとも１種を０．１〜２０重量部配合し、反応させて得られたものである、請求項１０に記載の背面投射型プロジェクタ用スクリーン。
【請求項１４】
前記透明粘着層の光入射側に透明基板が設けられている、請求項１１に記載の背面投射型プロジェクタ用スクリーン。
【請求項１５】
前記複数の透明微小球体の光出射側に第２の透明粘着層を介して第２の透明基板が設けられている、請求項１４に記載の背面投射型プロジェクタ用スクリーン。
【請求項１６】
側鎖に二重結合を持ったアクリル系樹脂と光重合開始剤と熱架橋剤とを少なくとも含有し、前記アクリル系樹脂の熱架橋及び紫外線架橋により硬化可能である紫外線硬化性樹脂組成物。
【請求項１７】
前記アクリル系樹脂１００重量部に対し、前記光重合開始剤を０．１〜５重量部、前記熱架橋剤を０．１〜５重量部夫々含有する、請求項１６に記載の紫外線硬化性樹脂組成物。
【請求項１８】
前記アクリル系樹脂が、
アクリル酸エステル及びメタクリル酸エステルからなる群より選ばれた少なくとも１種を主成分とする単量体１００重量部に対し、少なくとも、水酸基を含有した単量体、カルボキシル基を含有した単量体並びに水酸基及びカルボキシル基を含有した単量体からなる群より選ばれた少なくとも１種を０．１〜２０重量部共重合させて得られた樹脂１００重量部に対し、
イソシアネート基を含有したアクリル酸エステル及びイソシアネート基を含有したメタクリル酸エステルからなる群より選ばれた少なくとも１種を０．１〜２０重量部配合し、反応させて得られたものである、請求項１６に記載の紫外線硬化性樹脂組成物。
【手続補正３】
【補正対象書類名】明細書
【補正対象項目名】０００１
【補正方法】変更
【補正の内容】
【０００１】
【発明の属する技術分野】
本発明は、平面型レンズ及びその製造方法、その平面型レンズを用いた背面投射型プロジェクタ用スクリーン、並びに紫外線硬化性樹脂組成物に関する。


【手続補正４】
【補正対象書類名】明細書
【補正対象項目名】００２２
【補正方法】変更
【補正の内容】
【００２２】
そこで、本発明の目的は、硬化前には比較的軟らかいために透明微小球体の埋め込みが容易で、且つ、硬化後は、充分な強度を示す紫外線硬化型の樹脂を透明粘着層に用いることにより、透明微小球体の固定や基板の貼り合わせ等に信頼性の高い平面型レンズ及びその製造方法、その平面型レンズを用いた背面投射型プロジェクタ用スクリーン、並びに紫外線硬化性樹脂組成物を提供することである。


【手続補正５】
【補正対象書類名】明細書
【補正対象項目名】００２３
【補正方法】変更
【補正の内容】
【００２３】
【課題を解決するための手段】
上述した課題を解決すべく、本発明の平面型レンズでは、平面状又は曲面状に分布した複数の透明微小球体と、前記複数の透明微小球体を保持する透明粘着層と、前記各透明微小球体の光出射側の所定箇所を露出させるように、前記複数の透明微小球体間の間隙に配された光吸収層と、を有する平面型レンズであって、前記透明粘着層が、側鎖に二重結合を持ったアクリル系樹脂と光重合開始剤と熱架橋剤とを少なくとも含有する紫外線硬化性樹脂組成物からなっていて、前記アクリル系樹脂の熱架橋及び紫外線架橋により硬化している。本発明はまた、前記紫外線硬化性樹脂組成物も提供する。
【手続補正６】
【補正対象書類名】明細書
【補正対象項目名】００７２
【補正方法】変更
【補正の内容】
【００７２】
まず、図６（ａ）に示すように、光入射側の透明基板４の上に、上述した紫外線硬化性樹脂組成物からなる透明粘着層５を形成する。具体的には、例えば、剥離シート上に形成して、熱乾燥により予め一部を熱架橋させた紫外線硬化性樹脂組成物５を透明基板４に貼り付けた後、剥離シートを剥がす。なお、透明基板４が、熱により反り等を生じる虞が少ない場合には、透明基板４の上に紫外線硬化性樹脂組成物を形成した後で、その熱架橋を行わせることもできる。